(57)【特許請求の範囲】
【請求項１】
表示面の背面側に配置された光源からの光で前記表示面を照光する表示装置において、
前記光源は、表面実装型のＬＥＤであり、前記表示面の背面側には、光を拡散透過させる拡散部材が配置されるとともに、
前記ＬＥＤをそれぞれ実装した２枚のＬＥＤ基板が、それぞれの基板のＬＥＤの出射方向を前記表示面と平行とするよう、前記表示面に対して垂直に、かつ、ＬＥＤ非実装面同士が対向する背中合わせにＬＥＤホルダに立設され、
前記ＬＥＤからの出射光を前記拡散部材に向かうように反射する反射面が、前記ＬＥＤ基板に対して傾斜して前記ＬＥＤホルダに設けられ、
前記反射面は、前記出射光を散乱反射させるように構成されることを特徴とする表示装置。
【請求項２】
前記ＬＥＤからの出射光が前記拡散部材に直接向かう光路上に遮光部材を配置した請求項１記載の表示装置。
【請求項３】
前記ＬＥＤ基板を保持するベース基板を備え、前記ＬＥＤ基板及び前記ベース基板には、前記ＬＥＤへの電流を制限する電流制限抵抗が、それぞれ実装される請求項１記載の表示装置。
【請求項４】
前記ＬＥＤ基板を複数備えるとともに、ＬＥＤ基板毎に、異なる発光波長のＬＥＤが実装され、各ＬＥＤ基板における消費電力が等しくなるように電流制限抵抗の抵抗値を設定した請求項３記載の表示装置。
【発明の詳細な説明】
【０００１】
【発明の属する技術分野】
本発明は、表示灯や照光式押しボタンスイッチの照光表示部などに好適な表示装置に関する。
【０００２】
【従来の技術】
図１６は、従来の表示装置の構成図であり、同図において、２０は略透明な樹脂材料からなるキャップ、２１は所要の文字等が彫刻あるいは印刷されている記名板、２２はレンズ付きのＬＥＤ２３からの出射される光を拡散させる拡散板、２４はキャップ２０と嵌合して記名板２１および拡散板２２を保持するキャップホルダ、２５はＬＥＤ２３を固定するＬＥＤホルダ、２６はＬＥＤ基板、２７は保持金具２８によって当該表示装置が取り付けられる取り付けパネル、２９はケース、３０は外部電極である。なお、この従来例では、レンズ付きのＬＥＤ２３は、キャップ２０の長手方向（紙面に垂直方向）に沿って４個ずつ２列に配置されている。
【０００３】
かかる表示装置では、外部電極３０に電圧が印加されることにより、ＬＥＤ基板２６を介してＬＥＤ２３が発光し、その光が拡散板２２で拡散透過して照光するものである。
【０００４】
図１７（ｂ）に示されるレンズ付きのＬＥＤ２３は、図１７（ａ）に示されるように、前方へ多くの光を出す指向特性を有し、したがって、図１６の表示装置の表示部における輝度分布は、図１８に示されるように、ＬＥＤ２３に対応する位置の輝度が高くなっている。
【０００５】
図１９は、かかる従来例の表示装置を用いて４個のＬＥＤ２３の各列毎の分割点灯を行う場合の結線状態を示す図であり、３１，３２は、上述のＬＥＤ基板２６に実装された電流制限抵抗である。第１，第２の電極３３−１，３３−２間に電圧を印加して一方の列の４個のＬＥＤ２３−１を第１の発光色で点灯させる動作と、第１，第３の電極３３−１，３３−３間に電圧を印加して他方の列の４個のＬＥＤ２３−２を第２の発光色で点灯させる動作とを、個別に行うことにより、２色の分割点灯を行うことができる。
【０００６】
【発明が解決しようとする課題】
一般的に、表示部における視認性を向上させるには、表示部の輝度を高め、かつ、輝度を均一にする必要がある。
【０００７】
また、取り付けパネルなどに取り付けられる表示装置では、取り付けパネルの厚み方向により短くする小型短胴化の要請もある。
【０００８】
しかしながら、上述の従来例の表示装置では、表示部の輝度を高め、さらに、小型化を図るために、拡散板２２とＬＥＤ２３との距離を短くすると、上述の図１８に示したように輝度の高い部分と低い部分との差が一層大きくなって輝度の不均一が増大して視認性が低下するという難点がある。
【０００９】
また、分割点灯の場合には、色の異なるＬＥＤ間の輝度を揃えることにより、視認性を向上させることができるが、一般的に、ＬＥＤの発光色が異なると、ＬＥＤでの電圧降下量が異なり、輝度を揃えるためには、上述の図１９に示されるように、第１の発光色のＬＥＤ２３−１に対応する第１の電流制限抵抗３１と、第２の発光色のＬＥＤ２３−２に対応する第２の電流制限抵抗３２との抵抗値を、発光色の異なるＬＥＤ２３−１，２３−２に合わせて個別に設定する必要があり、したがって、発光色の組み合わせの数だけ電流制限抵抗の抵抗値が異なるＬＥＤ基板を揃える必要があり、管理する部品点数の増加により、管理コストが増大するという難点がある。
【００１０】
本発明は、このような点に着目してなされたものであって、表示装置の視認性を向上させることを主たる目的とし、さらには、安価に分割点灯にも対応できる表示装置を提供することを目的とする。
【００１１】
【課題を解決するための手段】
本発明では、上記目的を達成するために、次のように構成している。
【００１２】
すなわち、本発明は、表示面の背面側に配置された光源からの光で前記表示面を照光する表示装置において、前記光源は、表面実装型のＬＥＤであり、前記表示面の背面側には、光を拡散透過させる拡散部材が配置されるとともに、前記ＬＥＤをそれぞれ実装した２枚のＬＥＤ基板が、それぞれの基板のＬＥＤの出射方向を前記表示面と平行とするよう、前記表示面に対して垂直に、かつ、ＬＥＤ非実装面同士が対向する背中合わせにＬＥＤホルダに立設され、前記ＬＥＤからの出射光を前記拡散部材に向かうように反射する反射面が、前記ＬＥＤ基板に対して傾斜して前記ＬＥＤホルダに設けられ、前記反射面は、前記出射光を散乱反射させるように構成される。
【００１４】
本発明によると、光源の出射方向を、表示面と平行とするようにしてその出射光を反射面で反射させるようにし、出射光が間接的に表示面を照光するようにしているので、出射光で直接表示面を照光する従来例に比べて、表示面における輝度むらが低減されて視認性が向上する。また、輝度むらが少ないので、光源を表示面により近接配置できることになり、表示装置の小型化を図ることができる。
【００１６】
本発明によると、表面実装型のＬＥＤ、いわゆるチップＬＥＤを光源としているので、高輝度化を図ることができるとともに、上述のように輝度むらが低減され、さらに、反射面で散乱反射されて十分に拡散されるので、拡散部材における透過率を高く設定することができ、一層高輝度化を図ることができる。
【００１８】
本発明によると、表示面に対して略垂直のＬＥＤ基板に実装されたＬＥＤからの主たる出射光が、傾斜した反射面で散乱反射されて拡散部材に向かうので、表示面の輝度むらを低減して輝度の均一化を図るとともに、高輝度化を図ることができる。
【００１９】
さらに、本発明の好ましい一実施態様においては、前記ＬＥＤからの出射光が前記拡散部材に直接向かう光路上に、遮光部材を配置する。
【００２０】
本発明によると、遮光部材で表示面に至る直接光を遮光するので、表示面を直接照光する直接光と、反射面で反射されて照光する間接光との比率を変えることができ、輝度むらを一層低減できる。
【００２１】
また、本発明の他の実施態様においては、前記ＬＥＤ基板を保持するベース基板を備え、前記両基板には、前記ＬＥＤへの電流を制限する電流制限抵抗が、それぞれ実装されるものである。
【００２２】
本発明によると、ベース基板でＬＥＤ基板を保持できるとともに、主となる電流制限抵抗をベース基板に実装することにより、電流制限抵抗の発熱による影響が、ＬＥＤ基板のＬＥＤに及ぶのを低減できる。
【００２３】
さらに、本発明の他の実施態様においては、前記ＬＥＤ基板を複数備えるとともに、ＬＥＤ基板毎に、異なる発光波長のＬＥＤが実装され、各ＬＥＤ基板における消費電力が略等しくなるように電流制限抵抗の抵抗値を設定している。
【００２４】
本発明によると、異なる発光波長のＬＥＤが実装された各ＬＥＤ基板の消費電力が略等しいので、発光色の異なるＬＥＤ基板を用いるときには、ベース基板はそのままにしてＬＥＤ基板のみを交換すればよい。
【００２５】
【発明の実施の形態】
以下、本発明の実施の態様を図面に基づいて説明する。
【００２６】
（実施の形態１）
図１に、本発明に係る表示装置の断面図が、また、図２にその分解斜視図がそれぞれぞれ示されている。
【００２７】
これらの図において、１は略透明な樹脂材料からなるキャップ、２は「ＯＮ」、「ＯＦＦ」、「運転」、「異常」といった所要の文字等が彫刻あるいは印刷などで形成された光透過性の材料からなる記名板、３はＬＥＤ４からの光を拡散させて輝度むらを低減する半光透過性の拡散板であり、この拡散板３に色を付けることにより、色付きの照光が可能となる。また、この拡散板３には、表面に光の拡散を増すために梨地状の凹凸が設けられている。一般的に、拡散板での光の拡散を大きくすると、光の透過率は低下することになる。
【００２８】
５はキャップ１と嵌合して記名板２および拡散板３を保持するキャップホルダであり、このキャップホルダ５は、光を散乱反射する略白色の材料あるいは略白色に塗装された材料からなる。キャップ１、記名板２および拡散板３によって表示部が構成されている。
【００２９】
６は当該表示装置が取り付けられる取り付けパネル、７はケース８に装着されて表示装置が取り付けパネル６の開口から脱落するのを防止する保持金具、９は内部の電極１０を外部に引き出す外部電極である。
【００３０】
この実施の形態の表示装置では、表示面となるキャップ１の前面における輝度むらを低減するとともに、高輝度化を図って視認性を向上させるために、次のように構成している。
【００３１】
すなわち、この実施の形態では、表示部の輝度を高めるために、光源として表面実装型のＬＥＤ４、いわゆるチップＬＥＤ４を使用している。このＬＥＤ４は、図３（ａ）に示されるように、従来のレンズ付きのＬＥＤ２３に比べて広い指向特性を有し、図４のＬＥＤ前方平面上における相対輝度分布に示されるように、前方中央付近の輝度が十分に高いものとなっている。したがって、このＬＥＤ４の前方に拡散板３を配置する構成では、表示面上における輝度むらが発生することになる。
【００３２】
そこで、この実施の形態では、輝度むらを低減するために、ＬＥＤ４の主たる出射方向を、表示部の表示面に向かう方向（図１では上方）ではなく、表示面に略平行な方向としている。このため、ＬＥＤ４がそれぞれ実装された２枚のＬＥＤ基板１１は、表示面に対して略垂直に立設されてＬＥＤホルダ１２にそれぞれ保持されており、ＬＥＤ４の主たる出射面が、ＬＥＤホルダ１２の内壁１２−１に対向するように配設されている。各ＬＥＤ基板１１には、４個のＬＥＤ４がそれぞれ実装されるとともに、ＬＥＤ４への駆動電流を制限する電流制限抵抗１３がそれぞれ実装されている。
【００３３】
ＬＥＤホルダ１２は、ＬＥＤ４から出射される光を散乱反射（拡散反射）させるものであって、略白色の材料あるいは略白色に塗装された材料から構成されており、ＬＥＤ２に対向する内壁１２−１は、反射面となるものであって、この反射面は、ＬＥＤ４から出射される光を、表示部の拡散板３に導くように傾斜面となっている。この傾斜角度の設定によって、ＬＥＤ４からの出射光を散乱反射させて拡散板３に導くことができる光量を変えることができる。
【００３４】
ＬＥＤ４が実装されたＬＥＤ基板１１は、光を散乱反射できるように、ＬＥＤ実装部分以外の部分を、例えばシルクスクリーン印刷等によって白色に塗装している。なお、ＬＥＤ基板１１として、セラミック基板を用いれば、基板色が白色のため塗装の必要がない。
【００３５】
次に、以上の構成を有する表示装置における輝度の均一化および高輝度化の原理について、図５に基づいて更に詳細に説明する。
【００３６】
図５における円Ａは、ＬＥＤ４から出射された１本の光束が、ＬＥＤホルダ１２の内壁１２−１の散乱反射面に至った場合の反射光の指向特性を示している。
【００３７】
ＬＥＤ４から出射された主たる出射光は、ＬＥＤホルダ１２の内壁１２−１の散乱反射面で散乱反射されて拡散板３に至る。また、ＬＥＤ４から上方あるいは斜め上方に出射された一部の出射光は、直接拡散板３に至る。散乱反射された光のうち、ＬＥＤ基板１１やＬＥＤホルダ１２の他の散乱反射面に至る光は、再度散乱反射されるため、均一に表示部を照光することに貢献することになる。
【００３８】
このように、拡散板３に至る光のほとんどは、散乱反射された間接光であるために、拡散板３を通過したＬＥＤ光は、拡散板３の上方の相対輝度分布例Ｂに示されるように、輝度むらが小さくなって表示部を照光することができる。この時、拡散板３に至る光が、十分に拡散していない場合は、拡散板３でさらに光を拡散させる必要があるため、拡散板３の透過率を高く設定することができず、表示部の輝度が大幅に低下することになるが、この実施の形態では、拡散板３に至る光は、散乱反射面で十分に散乱されているため、拡散板３の透過率を高く設定しても、輝度の均一性が得られ、さらに表示部で高い輝度を得ることができることになる。
【００３９】
図６は、この実施の形態の表示装置の表示部の輝度分布を示す図であり、図１８の従来例に比べて輝度むらが大幅に低減されていることが分かる。
【００４０】
この実施の形態では、２枚の基板１１にＬＥＤ４をそれぞれ実装したけれども、本発明の他の実施の形態として、１枚の基板の両面にＬＥＤ４を実装してもよい。また、実装するＬＥＤ４の発光色を基板毎に異ならせることにより、２色発光の表示装置を容易に実現できる。さらに、基板を４枚にすれば、容易に４色発光の表示装置を実現できる。
【００４１】
（実施の形態２）
図７は、参考例の実施の形態の要部の断面図であり、上述の実施の形態に対応する部分には同一の参照符号を付す。
【００４２】
上述の実施の形態では、ＬＥＤ４の主たる出射方向は、実装面（基板面）に対して垂直な方向であったけれども、この実施の形態では、図８に示されるように、実装面（基板面）に対して平行な方向に主たる出射方向を有するＬＥＤ４ａを使用している。
【００４３】
この実施の形態によれば、拡散板３とＬＥＤ４ａとの距離を大きくすることができ、さらに、良好な拡散光を得ることができ、輝度むらを一層低減できる。
【００４４】
また、上述の実施の形態のように、ＬＥＤ基板１１を立設する必要がないので、表示装置を、取り付けパネルの厚み方向（図７の上下方向）に短くすることができ、小型短胴化を図る上で有効である。
【００４５】
（実施の形態３）
図９は、本発明のさらに他の実施の形態の要部の断面図であり、上述の実施の形態１に対応する部分には、同一の参照符号を付す。
【００４６】
上述の実施形態１では、ＬＥＤ４からの出射光を散乱反射させる反射面となるＬＥＤホルダ１２の内壁１２−１は、平面であったけれども、この実施の形態では、ＬＥＤホルダ１２ｂの内壁１２−１を曲面としており、このように、散乱反射面となるＬＥＤホルダ１２ｂの内壁１２ｂ−１を曲面とすることにより、散乱反射される光の散乱の度合いを増すことができ、さらに、良好な散乱光を得ることができる。
【００４７】
この実施の形態では、曲面を凸状に形成したけれども、本発明の他の実施の形態として、凹状に形成してもよい。
【００４８】
（実施の形態４）
図１０は、本発明の他の実施の形態の要部の断面図であり、上述の実施の形態に対応する部分には、同一の参照符号を付す。
【００４９】
この実施の形態では、ＬＥＤ４からの出射光が拡散板３に直接向かう光路上、この例では、ＬＥＤ基板１１の上側の端に、ＬＥＤ４からの出射光を遮光する遮光部材１４を、ＬＥＤ基板１１の長手方向（紙面に垂直方向）に沿うように配置している。
【００５０】
この遮光部材１４によって、ＬＥＤホルダ１２の内壁１２−１などで散乱反射された拡散板３に至る間接光と、ＬＥＤ４から直接拡散板３に至る直接光との比率を変えることができ、さらに、良好な散乱光を得ることが可能となる。
【００５１】
なお、遮光部材１４として、チップ抵抗、チップコンデンサ、ダミーの表面実装部品を用いることにより、ＬＥＤ４の実装と同時に遮光部材１４を実装することができ、低いコストで遮光部材１４を実現できる。
【００５２】
（実施の形態５）
図１１は、本発明のさらに他の実施の形態の分解斜視図であり、図１２は、その要部の断面図であり、上述の実施の形態１に対応する部分には、同一の参照符号を付す。
【００５３】
この実施の形態では、２枚のＬＥＤ基板１１ｂを保持するベース基板１５を備えており、このベース基板１５を介してＬＥＤ基板１１ｂと電極１０ａとを接続している。このベース基板１５は、２枚のＬＥＤ基板１１ｂを取り付けるための長手方向に延びるスリット状の２つの嵌合孔１６を有しており、これら嵌合孔１６に、ＬＥＤ基板１１ｂの下側の端部を挿入嵌合し、裏面からはんだ付けされて図１３に示されるように保持される。
【００５４】
このベース基板１５の裏面には、電流制限抵抗１７−１，１７−２が実装されており、各ＬＥＤ基板１１ｂにも、ＬＥＤ４の特性に合わせた電流制限抵抗１３−１，１３−２が実装されている。
【００５５】
図１４は、この実施の形態のＬＥＤ４と電流制限抵抗１３−１，１３−２，１７−１，１７−２との結線状態を示す図であり、同図（ａ）は分割でない一括点灯の場合を、同図（ｂ）は分割点灯の場合をそれぞれ示している。
【００５６】
同図（ａ）において、第１，第２の電極１０ａ−１，１０ａ−２間に電圧を印加して電流を流すことにより全ＬＥＤ４を点灯することができる。
【００５７】
また、同図（ｂ）において、第１，第２の電極１０ａ−１，１０ａ−２間に電圧を印加して一方の列の４個のＬＥＤ４−１を第１の発光色で点灯させ、第１，第３の電極１０ａ−１，１０ａ−３間に電圧を印加して他方の列の４個のＬＥＤ４−２を第２の発光色で点灯させる２色の分割点灯を行うことができる。
【００５８】
この図１４に示されるように、ＬＥＤ基板１１ｂ上の電流制限抵抗１３−１，１３−２と、ベース基板１５上の電流制限抵抗１７−１，１７−２とは、直列に接続されている。
【００５９】
各ＬＥＤ基板１１ｂ内での電圧降下は、電流制限抵抗の選択によってほぼ同じに設定している、すなわち、各ＬＥＤ基板１１ｂにおける消費電力が略等しく設定しているために、発光色の異なるＬＥＤ基板１１ｂを実装する際も同じベース基板１５を用いることができる。
【００６０】
分割点灯で、かつＬＥＤ基板上に電流制限抵抗を設けない場合には、実装する電流制限抵抗１７−１，１７−２の抵抗値が異なるベース基板を、発光色の全ての組み合わせの分だけ用意する必要があり、上述の図１９の従来例と同様に部品の管理コストが増大することになる。
【００６１】
例えば、緑、赤、白、橙の４色のＬＥＤを用いて２分割点灯可能な表示装置を製造する場合、用意する基板の種類は、同色の２分割点灯も含めると、４×４＝１６通りのベース基板１５と、４種類のＬＥＤ基板１１ｂの２０種類の基板が必要となる。
【００６２】
これに対して、この実施の形態では、ＬＥＤ基板１１ｂ内での電圧降下の大きさが等しくなるように設定しているので、基板の種類は、ベース基板１５を１種類と４種類のＬＥＤ基板１１ｂの合計５種類の基板で間に合うことになる。
【００６３】
このため、管理する部品種を大幅に削減することが可能となる。
【００６４】
この実施の形態では、分割数を２分割で説明しているが、３分割、４分割と分割数を増やしても同様の効果が得られることは言うまでもない。
【００６５】
また、分割数が増えると、基板数削減の効果は大きくなる。
【００６６】
（実施の形態６）
図１５は、本発明のさらに他の実施の形態の結線状態を示す図であり、図１４（ｂ）に対応する部分には、同一の参照符号を付す。
【００６７】
上述の実施の形態と異なる点は、並列に接続した２枚のＬＥＤ基板１１ｂをベース基板１５上の電流制限抵抗１７と直列に接続した点である。
【００６８】
表示装置の照光部を２分割して、個別に点灯する使用法の他に２色のＬＥＤ４−１，４−２を混色発光させ、第３の色で発光させる使用法がある。
【００６９】
第３の色で発光させる場合、２種類の色を同時点灯することになるため、通常、第３の発光色は、単色点灯時の略２倍の輝度となる。このため、第３の発光色と、単色のＬＥＤの点灯では、輝度の差が大きく、相対的に単色点灯時の視認性が低下するという問題があった。
【００７０】
この実施の形態では、２種類のＬＥＤ４−１，４−２を同時点灯して第３の色で発光させる場合、２種類のＬＥＤ４−１，４−２それぞれに流れる駆動電流は、ベース基板１５上の電流制限抵抗１７で制限される単色点灯時より小さくなる。  このため、単色点灯時と第３の色での点灯時の輝度差を小さくすることができ、視認性を低下させることなく、３色発光を実現可能である。
【００７１】
（その他の実施の形態）
上述の各実施の形態を適宜組み合わせてもよい。
【００７２】
本発明の表示装置は、押圧操作に応じて照光する照光式の押しボタンスイッチの照光表示部（操作部）として使用してもよい。
【００７３】
【発明の効果】
以上の説明から明らかなように本発明によれば、光源の出射方向を、表示面に向かう方向と異ならせて間接的に表示面を照光するようにしているので、出射光で直接表示面を照光する従来例に比べて、表示面における輝度むらが低減されて視認性が向上する。また、輝度むらが少ないので、光源を表示面により近接配置できることになり、表示装置の小型化を図ることができる。
【００７４】
また、本発明によれば、表面実装型のＬＥＤを光源としているので、高輝度化を図ることができるとともに、上述のように輝度むらが低減され、さらに、反射面で散乱反射されて十分に拡散されるので、拡散部材における透過率を高く設定することができ、一層高輝度化を図ることができる。
【００７５】
さらに、本発明によれば、異なる発光波長のＬＥＤが実装された各ＬＥＤ基板の消費電力が略等しいので、発光色の異なるＬＥＤ基板を用いるときには、ベース基板はそのままにしてＬＥＤ基板のみを交換すればよく、従来例に比べて管理すべき基板数を削減して管理コストを低減できる。
【図面の簡単な説明】
【図１】本発明に係る表示装置の断面図である。
【図２】図１の表示装置の分割斜視図である。
【図３】図１のＬＥＤの指向特性および外観を示す図である。
【図４】図３のＬＥＤの前方へ面上の相対輝度分布を示す図である。
【図５】輝度の均一化および高輝度化の原理を説明するための図である。
【図６】図１の表示装置の表示部の相対輝度分布を示す図である。
【図７】参考例の実施の形態の要部の断面図である。
【図８】図７のＬＥＤの主たる出射方向を示す図である。
【図９】本発明のさらに他の実施の形態の要部の断面図である。
【図１０】本発明の他の実施の形態の要部の断面図である。
【図１１】本発明のさらに他の実施の形態の表示装置の分解斜視図である。
【図１２】図１１の表示装置の要部の断面図である。
【図１３】ＬＥＤ基板とベース基板との嵌合状態を示す斜視図である。
【図１４】一括点灯と分割点灯の結線状態を示す図である。
【図１５】本発明のさらに他の実施の形態の結線状態を示す図である。
【図１６】従来例の表示装置の断面図である。
【図１７】図１６の表示装置の表示部の輝度分布を示す図である。
【図１８】図１６の表示装置の表示部の輝度分布を示す図である。
【図１９】図１６の表示装置の分割点灯の結線状態を示す図である。
【符号の説明】
３                              拡散板
４，４ａ                        ＬＥＤ
１１，１１ａ，１１ｂ            ＬＥＤ基板
１２，１２ａ，１２ｂ，１２ｃ    ＬＥＤホルダ
１４                            遮光部材
１５                            ベース基板
【図１】
0003624760.tif 000002
【図２】
0003624760.tif 000003
【図３】
0003624760.tif 000004
【図４】
0003624760.tif 000005
【図５】
0003624760.tif 000006
【図６】
0003624760.tif 000007
【図７】
0003624760.tif 000008
【図８】
0003624760.tif 000009
【図９】
0003624760.tif 000010
【図１０】
0003624760.tif 000011
【図１１】
0003624760.tif 000012
【図１２】
0003624760.tif 000013
【図１３】
0003624760.tif 000014
【図１４】
0003624760.tif 000015
【図１５】
0003624760.tif 000016
【図１６】
0003624760.tif 000017
【図１７】
0003624760.tif 000018
【図１８】
0003624760.tif 000019
【図１９】
0003624760.tif 000020